(57)【要約】【課題】舗装材とともに砂を充填凹部に充填した場合に、充填凹部の内部で舗装材ががたつき難い化粧用金属蓋体を提供する。【解決手段】底板部２２と、該底板部２２の周囲から立ち上がる側壁部２３とによって、舗装材を充填する充填凹部３０が形成された箱枠状の化粧用金属蓋体２１にあって、側壁部２３の内側面３２に、略上下方向に延びる突条３６及び／又は凹溝３７を複数本形成する。かかる構成とすれば、舗装材とともに充填凹部３０に充填される砂が、充填凹部３０の内側面３２に対して水平方向に流動するのを突条３６や凹溝３７によって抑制できるため、砂の充填度合いが同じ程度でも、舗装材のガタツキを低減できる。【選択図】図７
2020029652.tif 000002
【特許請求の範囲】
【請求項１】
底板部と、該底板部の周囲から立ち上がる側壁部とによって、舗装材を充填する充填凹部が形成された箱枠状の化粧用金属蓋体であって、
前記側壁部の内側面に、略上下方向に延びる突条及び／又は凹溝が複数本形成されていることを特徴とする化粧用金属蓋体。
【請求項２】
前記充填凹部の底部に、前記底板部を貫通する水抜孔が形成されていることを特徴とする請求項１に記載の化粧用金属蓋体。
【請求項３】
請求項１又は請求項２に記載の化粧用金属蓋体と、
該化粧用金属蓋体の前記充填凹部に充填された複数の舗装材と、
前記充填凹部内で前記舗装材の周囲に充填された砂と
を備えることを特徴とする化粧蓋。
【請求項４】
前記舗装材は、インターロッキングブロックであることを特徴とする請求項３に記載の化粧蓋。
【発明の詳細な説明】
【技術分野】
【０００１】
本発明は、化粧舗装に設けられた点検口等を閉塞する化粧蓋に関する。
【背景技術】
【０００２】
近年、化粧タイルや化粧ブロック等の舗装材を敷設した化粧舗装が増加している。こうした化粧舗装に設けられるマンホールやハンドホール等の点検口には、多くの場合、周囲の化粧舗装と調和し得る化粧蓋が設置される（例えば、特許文献１）。化粧蓋は、特許文献１に記載されているように、箱枠状の化粧用金属蓋体に、化粧舗装と同じ舗装材を充填してなるものである。
【先行技術文献】
【特許文献】
【０００３】
【特許文献１】特開昭６２−２２５６２８号公報
【発明の概要】
【発明が解決しようとする課題】
【０００４】
特許文献１に記載の化粧蓋では、舗装材としてインターロッキングブロックが用いられている。インターロッキングブロックでは、目地に砂を詰め込むことによりブロックを相互に一体化させるのが一般的であり、インターロッキングブロックを舗装材とする化粧蓋では、インターロッキングブロックとともに充填凹部に砂が充填される。しかしながら、従来の化粧用金属蓋体は、充填凹部の内側面が滑面となっているため、インターロッキングブロックとともに充填凹部に砂を詰め込む構成では、充填凹部の内側面と舗装材の間で砂が流動し易く、砂を密に充填していないと、充填凹部の内部で舗装材ががたつき易いという問題がある。
【０００５】
本発明は、かかる構成に鑑みてなされたものであり、舗装材とともに砂を充填凹部に充填した場合に、充填凹部の内部で舗装材ががたつき難い化粧用金属蓋体及び化粧蓋の提供を目的とする。
【課題を解決するための手段】
【０００６】
本発明は、底板部と、該底板部の周囲から立ち上がる側壁部とによって、舗装材を充填する充填凹部が形成された箱枠状の化粧用金属蓋体であって、前記側壁部の内側面に、略上下方向に延びる突条及び／又は凹溝が複数本形成されていることを特徴とする化粧用金属蓋体である。
【０００７】
また、本発明の別の態様は、上記の化粧用金属蓋体と、該化粧用金属蓋体の前記充填凹部に充填された複数の舗装材と、前記充填凹部内で前記舗装材の周囲に充填された砂とを備えることを特徴とする化粧蓋である。
【０００８】
本発明にあっては、舗装材とともに充填凹部に充填される砂が、充填凹部の内側面に対して水平方向に流動するのを突条や凹溝によって抑制可能となるため、砂の充填度合いが同じ程度でも、舗装材のガタツキを低減できるという利点がある。また、本発明に係る突条や凹溝は、略上下方向に形成されているため、側壁部と舗装材の間に砂を詰める際に、突条や凹溝の隙間に砂を詰めやすいという利点もある。
【０００９】
本発明にあって、前記充填凹部の底部に、前記底板部を貫通する水抜孔が形成されていることが提案される。
【００１０】
かかる構成にあっては、充填凹部内の舗装材や砂に浸み込んだ雨水を水抜孔から排出可能となるため、充填凹部の排水性を向上できる。特に、本発明では、側壁部の内側面の突条や凹溝は上下方向に形成されているため、充填凹部内の雨水を側壁部の内側面に滞留させずに、充填凹部の底部まで円滑に流下させられるという利点がある。
【００１１】
また、本発明にあって、前記舗装材は、インターロッキングブロックであることが提案される。インターロッキングブロックは、目地に砂を充填すればブロック同士を一体的に噛合させることができるため、充填凹部の側壁部に対する水平方向の動きを、突条や凹溝で抑制すれば、充填凹部の内部で舗装材をがたつくことがなくなる。
【発明の効果】
【００１２】
以上のように、本発明によれば、舗装材とともに砂を充填凹部に充填した場合に、従来構成に比べて、充填凹部の内部で舗装材ががたつき難くなる。
【図面の簡単な説明】
【００１３】
【図１】点検口遮蔽装置１の施工状態（閉鎖状態）を示す平面図である。
【図２】図１中のＡ−Ａ線断面図である。
【図３】点検口遮蔽装置１の開放状態を示す断面図である。
【図４】化粧蓋３の分解斜視図である。
【図５】化粧用金属蓋体２１の斜視図である。
【図６】化粧用金属蓋体２１の平面図である。
【図７】図６中のＣ−Ｃ線断面図である。
【図８】充填凹部２０の底面３３の下り傾斜する方向を示す化粧用金属蓋体２１の平面図である。
【発明を実施するための形態】
【００１４】
以下に、本発明の実施形態を、図面を参照して説明する。
図１，２は、化粧舗装６に設けられる点検口遮蔽装置１の施工状態を示したものである。点検口遮蔽装置１は、受枠２と化粧蓋３とを備えてなる。受枠２は、マンホール等の点検用縦孔５の上部開口縁に配設されており、該受枠２の内側に、該点検用縦孔５の点検口１２が開口する。化粧蓋３は受枠２に装着されて点検口１２を開閉する。点検口遮蔽装置１は、化粧蓋３が点検口１２を閉鎖する閉鎖状態で、該化粧蓋３の上面が、周囲の化粧舗装６の上面と略面一となるように配設される。
【００１５】
点検口遮蔽装置１は、図１，２に示すように、化粧蓋３を受枠２に内嵌させて点検口１２を閉鎖する閉鎖状態と、図３に示すように、化粧蓋３を斜め上方へ引き出して点検口１２を開放する開放状態とに変換可能なものである。以下では、化粧蓋３を点検口１２から引き出す方向を、点検口遮蔽装置１の後方と定めて説明する。
【００１６】
受枠２は、鋳鉄製であり、図２，３に示すように、点検口１２を形成する略矩形環状の底部１１と、該底部１１の外周縁から起立する外周壁部１６とを備える。外周壁部１６は、化粧蓋３を内嵌させる壁部を構成する。また、点検口１２の口縁には、パッキン１７が嵌着される立縁部１３が形成される。点検口遮蔽装置１の閉鎖状態で、化粧蓋３の底部は、かかる立縁部１３によって支持される。さらに、外周壁部１６の外側には、外周壁部１６の下端部から外方へ延出された周縁部１４が形成される。受枠２は、この周縁部１４を介して点検用縦孔５に固定される。また、受枠２の外周壁部１６の左右には、一対の案内レール１９，１９が内側に配設される。一方、外周壁部１６の前後には、内側に所定間隔で支持部１８が夫々形成される。
【００１７】
化粧蓋３は、図１，２に示すように、上方に開口する浅底の充填凹部３０を具備する箱枠状の化粧用金属蓋体２１と、該化粧用金属蓋体２１の充填凹部３０に充填された複数の舗装材７とによって構成される。化粧用金属蓋体２１は鋳鉄製である。舗装材７は透水性のインターロッキングブロックであり、後述するように、充填凹部３０には、舗装材７の周囲に砂９が充填される。通常、点検口遮蔽装置１は、充填凹部３０に舗装材７を充填しない状態で、点検用縦孔５に固定される。そして、点検用縦孔５の周囲に化粧舗装６を施工する際に、化粧舗装６と同じ舗装材７が充填凹部３０に充填される。
【００１８】
図４に示すように、充填凹部３０に舗装材７を充填する際には、まず、充填凹部３０の底部の略全域に透水シート８を敷く。透水シート８は、水が透過容易で、砂９が透過困難な目の細かい不織布からなる。次に、充填凹部３０に敷砂として砂９を敷いて水平にならす。そして、水平に敷いた砂９の上に、周囲の化粧舗装６と上面が面一となるように舗装材７を敷設する。最後に、舗装材７の目地に目地砂として砂９を詰め込むことにより、舗装材７の充填が完了する。
【００１９】
化粧用金属蓋体２１は、図５〜７に示すように、略水平な底板部２２と、該底板部２２の外周縁から起立する側壁部２３とを備え、底板部２２と側壁部２３とにより、上方に開口する浅底の充填凹部３０が形成される。また、化粧用金属蓋体２１は、側壁部２３の上端から外方へ延成された鍔部２４を備えている。鍔部２４の外周縁は、受枠２の外周壁部１６の内側に略隙間なく内嵌し得る形状となっている。充填凹部３０は、平面視略正方形状をなし、後側に位置する二つの角部は切り落し状に欠落している。そして、充填凹部３０の、当該欠落部位には、点検口遮蔽装置１の開閉作業に使用するハンドル（図示せず）を着脱するための取付孔２５，２５が鍔部２４に形成される。
【００２０】
また、化粧用金属蓋体２１には、側壁部２３の前後の外側面に、それぞれ三個の被支持部２６が左右に並設される。各被支持部２６は、点検口遮蔽装置１の閉鎖状態で、受枠２に設けられた支持部１８の上に被着する位置に形成されている（図２参照）。また、化粧用金属蓋体２１には、側壁部２３の左右の外側面に、それぞれ三個のリブ部２９が前後に並設される。各リブ部２９は、点検口遮蔽装置１の閉鎖状態で、案内レール１９に載置されるように、上下方向の長さと下端形状とが夫々定められている。また、化粧用金属蓋体２１には、前端下部の左右両側に、遊転可能な車輪２８が夫々配設される。かかる車輪２８，２８は、化粧蓋３を点検口１２から引き上げる際に、受枠２の案内レール１９上を転動する位置に配置されている。
【００２１】
次に、本発明の要部について説明する。
図５〜７に示すように、化粧用金属蓋体２１の充填凹部３０の底面３３には、底板部２２を上下に貫通する水抜孔３５が形成される。水抜孔３５は平面視円形状の貫通孔であり、充填凹部３０の底面３３の５箇所に形成される。具体的には、底面３３の中央部に１つ形成され、さらに、該中央部と四隅との間に１つずつ形成される。
【００２２】
本実施例の化粧蓋３の充填凹部３０には、透水性の舗装材７と砂９とが充填されているため、降雨時に雨水が充填凹部３０に浸入するが、充填凹部３０に浸入して底部まで達した雨水は、底面３３の水抜孔３５から点検用縦孔５へ排出される。このため、本実施例の化粧蓋３では、充填凹部３０に雨水が滞留し難く、雨上がりに化粧蓋３の表面が短時間で乾燥することとなる。このように、本実施例の化粧蓋３は乾燥し易いものであるため、雨上がりにおける、周囲の化粧舗装６と乾き具合の差が少なく、雨上がりに意匠性が低下しないという利点がある。また、本実施例の化粧蓋３では、充填凹部３０の底面３３の略全域に、砂９が透過困難な透水シート８が敷かれているため、充填凹部３０に充填された砂９を水抜孔３５から流出させずに、雨水のみを排出できるという利点がある。
【００２３】
特に、本実施例では、図８に示すように、充填凹部３０の底面３３の全域に、中央部に向けて２〜３°の角度で下り傾斜する勾配が設けられ、当該勾配の最低部に中央部の水抜孔３５が形成されている。かかる構成によれば、充填凹部３０の底部に達した雨水が、底面３３の勾配に沿って流れて水抜孔３５から排出されることとなるため、充填凹部３０の底部に雨水が一層滞留し難くなる。
【００２４】
また、本実施例では、図５〜７に示すように、化粧用金属蓋体２１の側壁部２３の内側面３２の略全域に、略上下方向の突条３６と凹溝３７を横方向に繰り返してなる波状部３８が形成される。かかる波状部３８によれば、化粧用金属蓋体２１の側壁部２３と舗装材７の隙間に充填される砂９が、水平方向に流動するのを抑制できるから、砂９の充填度合いが同じ程度でも、舗装材７のガタツキを低減できるという利点がある。また、波状部３８を構成する突条３６や凹溝３７が略上下方向に形成されているため、充填凹部３０の外周縁から浸入する雨水は、突条３６や凹溝３７に邪魔されることなく、円滑に底部まで流下して、水抜孔３５から排出される。また、突条３６や凹溝３７が略上下方向に形成されているため、突条３６や凹溝３７に邪魔されることなく、充填凹部３０の上方から側壁部２３と舗装材７の間に砂９を詰められるという利点もある。
【００２５】
なお、本発明は、上記実施例の形態に限らず本発明の要旨を逸脱しない範囲内において種々変更を加えることができる。例えば、上記実施例では、透水性を有するインターロッキングブロックが舗装材７として用いられているが、本発明に係る舗装材は、透水性を有していなくても良いし、インターロッキングブロックでなくてもよい。また、上記実施例では、化粧蓋３は平面視矩形状であったが、本発明に係る化粧蓋は、平面視矩形状に限らず、平面視円形状のものであってもよい。また、上記実施例の化粧蓋３は、点検口１２からスライドさせて開放させるタイプであるが、本発明は、化粧蓋を点検口の真上に持ち上げて取り外すものであってもよい。また、上記実施例では、充填凹部３０の底面３３に５つの水抜孔３５が形成されているが、本発明に係る水抜孔は、充填凹部の底部に１つ以上形成されていればよく、水抜孔の形成箇所も適宜変更可能である。また、水抜孔３５の形状は、平面視円形に限らず、平面視多角形状などであってもよい。また、上記実施例では、充填凹部３０の底面３３が平滑であるが、本発明は、充填凹部３０の底面３３に補強用のリブが設けられている構成を含む。
【００２６】
また、上記実施例では、化粧用金属蓋体２１の側壁部２３の内側面３２の略全域に、波状部３８が形成されていたが、かかる波状部３８は側壁部２３の一部の内側面３２に形成されるだけであってもよい。また、上記実施例では、側壁部２３の内側面３２に波状部３８が形成されているが、本発明に係る側壁部の内側面は、波状部の形成に替えて、上下方向の突条３６を複数本形成してもよいし、上下方向の凹溝３７を複数本形成してもよい。
【符号の説明】
【００２７】
１  点検口遮蔽装置
２  受枠
３  化粧蓋
５  点検用縦孔
６  化粧舗装
７  舗装材
８  透水シート
９  砂
１１  底部
１２  点検口
１３  立縁部
１４  周縁部
１６  外周壁部
１７  パッキン
１８  支持部
１９  案内レール
２１  化粧用金属蓋体
２２  底板部
２３  側壁部
２４  鍔部
２５  取付孔
２６  被支持部
２８  車輪
２９  リブ部
３０  充填凹部
３２  内側面
３３  底面
３５  水抜孔
３６  突条
３７  凹溝
３８  波状部
【図１】
2020029652.tif 000003
【図２】
2020029652.tif 000004
【図３】
2020029652.tif 000005
【図４】
2020029652.tif 000006
【図５】
2020029652.tif 000007
【図６】
2020029652.tif 000008
【図７】
2020029652.tif 000009
【図８】
2020029652.tif 000010